(57)【要約】【課題】  携帯端末の所持者が歩行中や自転車で移動中などの移動状態の場合に、携帯端末の画面を注視することにより発生する危険状態を判定し、それを携帯端末の所持者に通知する携帯端末を提供することを目的とする。【解決手段】  携帯端末の撮像装置は、表示装置と同じ面に備えられており、携帯端末は、携帯端末の振動、加速度またはそれに伴う電圧のいずれか一以上を検出する移動状態検出部と、検出した情報を用いて、所定の基準値を満たしている場合には移動状態であると判定する移動状態判定部と、撮像装置の起動指示を送出するカメラ起動指示部と、撮像装置で撮像した画像から顔を検出することにより、該所持者の危険状態の判定を行う危険状態判定部と、危険状態であると判定された場合に、該所持者に対してその旨を通知するための制御指示を送出する危険判定時処理部と、を有する携帯端末である。【選択図】  図１
2008085510.tif 000002
【特許請求の範囲】
【請求項１】
表示装置と撮像装置とを同じ面に有する携帯端末であって、
前記携帯端末は、
前記携帯端末の振動、加速度またはそれに伴う電圧のいずれか一以上を検出する移動状態検出部と、
前記検出した情報を用いて、所定の基準値を満たしている場合には移動状態であると判定する移動状態判定部と、
移動状態であると少なくとも判定した場合に、前記撮像装置の起動指示を送出するカメラ起動指示部と、
前記撮像装置で撮像した画像から顔を検出することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項２】
前記移動状態検出部は、
前記携帯端末の振動を検出する振動検出部であって、前記振動を検出した時刻またはその有無を少なくとも経時的に前記携帯端末に記憶させ、
前記移動状態判定部は、
所定時間における前記検出した振動の振動数を用いて、それが前記所定の基準値を満たしている場合には移動状態であると判定する、
ことを特徴とする請求項１に記載の携帯端末。
【請求項３】
前記移動状態検出部は、
前記携帯端末の振動を検出する振動検出部であって、前記振動を検出した時刻またはその有無と、その振幅とを少なくとも経時的に前記携帯端末に記憶させ、
前記移動状態判定部は、
所定時間における前記検出した振動の振動数と振幅とを用いて、それが前記所定の基準値を満たしている場合には移動状態であると判定する、
ことを特徴とする請求項１に記載の携帯端末。
【請求項４】
前記移動状態検出部は、
前記携帯端末の加速度またはそれによる電圧を検出する加速度検出部であって、前記加速度または電圧を検出した時刻、またはその有無を少なくとも経時的に前記携帯端末に記憶させ、
前記移動状態判定部は、
所定時間における前記検出した加速度の検出数または電圧の検出数を用いて、それが前記所定の基準値を満たしている場合には移動状態であると判定する、
ことを特徴とする請求項１に記載の携帯端末。
【請求項５】
前記移動状態検出部は、
前記携帯端末の加速度またはそれによる電圧を検出する加速度検出部であって、前記加速度または電圧を検出した時刻またはその有無と、加速度の値または電圧の値を少なくとも経時的に前記携帯端末に記憶させ、
前記移動状態判定部は、
所定時間における前記検出した加速度の検出数または電圧の検出数と、加速度の値または電圧の値を用いて、それが前記所定の基準値を満たしている場合には移動状態であると判定する、
ことを特徴とする請求項１に記載の携帯端末。
【請求項６】
前記携帯端末は、更に、
前記携帯端末の入力装置において操作が行われているかを検出する操作判定部、を有しており、
前記カメラ起動指示部は、更に、
前記移動状態判定部において移動状態であると判定し、前記操作判定部において操作が行われると判定した場合に、前記起動指示を行う、
ことを特徴とする請求項１から請求項５のいずれかに記載の携帯端末。
【請求項７】
前記危険状態判定部は、
前記撮像装置で撮像した画像から顔を検出し、所定枚数以上あるいは所定時間以上、前記画像において顔が検出された場合には危険状態と判定する、
ことを特徴とする請求項１に記載の携帯端末。
【請求項８】
前記危険判定時処理部は、
前記制御指示として、前記表示装置の表示を消す、警告音を鳴らす、振動を発生させる、前記表示装置に所定のメッセージを表示する、のいずれかの制御指示を送出する、
ことを特徴とする請求項１に記載の携帯端末。
【発明の詳細な説明】
【技術分野】
【０００１】
本発明は、携帯端末に関する。より詳細には、携帯端末の所持者が歩行中や自転車で移動中などの移動状態の場合に、携帯端末の画面を注視することにより発生する危険状態を判定し、それを携帯端末の所持者に通知する携帯端末に関する。
【背景技術】
【０００２】
携帯端末（本明細書においては、携帯電話、ＰＨＳ、ＰＤＡなどの可搬型通信端末を含む）の普及に伴い、携帯端末を歩きながら操作したり、自転車に乗りながら操作する人がいる。特に、携帯端末で電子メールやウェブサイトなどを操作している場合には、携帯端末の画面に注視している場合が多く、周囲の状況の確認が疎かになっている。
【０００３】
その為、携帯端末の操作に夢中になり、人や物（車、電信柱、道路上の設置物など）と衝突する場合もある。また信号などにも注意が向きにくくなり、交通安全上、極めて問題が多い。
【０００４】
そのような状況を回避するため、下記特許文献１、特許文献２には、携帯端末に備えられたカメラで周囲を撮像し、撮像した周囲の画像を携帯端末の表示装置の一部分で表示することによって、携帯端末の所持者に周囲の状況を知らせる発明が開示されている。
【０００５】
【特許文献１】特開２００６−１４８６３２号公報
【特許文献２】特開２００５−１３６６９５号公報
【発明の開示】
【発明が解決しようとする課題】
【０００６】
上述のような発明を用いることによって、携帯端末の所持者は表示装置を見るだけで、周囲の状況を確認することが出来、またそのまま携帯端末の操作を続けることができる。しかしながら、所持者が把握することが出来るのは、携帯端末のカメラで撮像した範囲内に限られている。そして所持者が歩いていたり、自転車に乗りながら携帯端末の操作を行う場合には、一般的には携帯端末の表示装置を顔に向けており、また視線は下の方にあることが多い。そうすると携帯端末のカメラも下方に向くことが多く、携帯端末のカメラで撮像できる範囲は、下方に限られ、その多くは道路で占められてしまう。
【０００７】
その為、上記特許文献に記載のような発明を用いたとして、所持者は十分に周囲の状況を把握することは出来ない。またそもそも歩きながら、あるいは自転車に乗りながら携帯端末を操作すること自体が、周囲の状況の確認を疎かにするので危険状態にあるとも言える。そしてこのような危険状態を防止するためには、歩行中や自転車で移動中の場合には、携帯端末の所持者にその危険性を認識させ、それを抑止することが望まれる。
【課題を解決するための手段】
【０００８】
そこで本発明者は上述の問題点に鑑み、歩行中あるいは自転車で移動中の状態（これらを本明細書では「移動状態」という）を検出し、そのような状態の場合には、当該携帯端末において所定の処理を行うことで、移動状態における携帯端末の使用を抑止する、携帯端末を発明した。
【０００９】
請求項１の発明は、表示装置と撮像装置とを同じ面に有する携帯端末であって、前記携帯端末は、前記携帯端末の振動、加速度またはそれに伴う電圧のいずれか一以上を検出する移動状態検出部と、前記検出した情報を用いて、所定の基準値を満たしている場合には移動状態であると判定する移動状態判定部と、移動状態であると少なくとも判定した場合に、前記撮像装置の起動指示を送出するカメラ起動指示部と、前記撮像装置で撮像した画像から顔を検出することにより、該所持者の危険状態の判定を行う危険状態判定部と、前記危険状態であると判定された場合に、該所持者に対してその旨を通知するための制御指示を送出する危険判定時処理部と、を有する携帯端末である。
【００１０】
本発明のように構成することによって、振動、加速度、電圧などによって、携帯端末の所持者が歩行中であるか、自転車に乗っているかなどの移動状態にあるか否かを判定し、移動状態にある場合には、更に、携帯端末の画面を注視している状態であるか否かを判定し、注視している場合には、所持者に所定の警告等を行うことが可能となる。これによって、携帯端末の所持者に移動中における携帯端末の使用は危険であることを認識させ、移動中の操作を抑止することが出来る。その為、携帯端末の所持者の安全を確保することに繋がる。
【００１１】
請求項２の発明において、前記移動状態検出部は、前記携帯端末の振動を検出する振動検出部であって、前記振動を検出した時刻またはその有無を少なくとも経時的に前記携帯端末に記憶させ、前記移動状態判定部は、所定時間における前記検出した振動の振動数を用いて、それが前記所定の基準値を満たしている場合には移動状態であると判定する、携帯端末である。
【００１２】
移動状態の判定においては、振動を検出する方法がある。歩行中や自転車に乗車中の場合には、所持者が動くのでその携帯端末にも振動が伝わる。そしてその振動数が基準値よりも多い場合には、移動していると判定することが出来る。
【００１３】
請求項３の発明において、前記移動状態検出部は、前記携帯端末の振動を検出する振動検出部であって、前記振動を検出した時刻またはその有無と、その振幅とを少なくとも経時的に前記携帯端末に記憶させ、前記移動状態判定部は、所定時間における前記検出した振動の振動数と振幅とを用いて、それが前記所定の基準値を満たしている場合には移動状態であると判定する、携帯端末である。
【００１４】
振動のみならず、振幅を加味して判定しても良い。振幅を加味することによって、振動の大きさが分かる。これによって移動している、走っているなどの細かい移動状態まで判定することが出来るので、より的確な移動状態の判定を行うことが出来る。
【００１５】
請求項４の発明において、前記移動状態検出部は、前記携帯端末の加速度またはそれによる電圧を検出する加速度検出部であって、前記加速度または電圧を検出した時刻、またはその有無を少なくとも経時的に前記携帯端末に記憶させ、前記移動状態判定部は、所定時間における前記検出した加速度の検出数または電圧の検出数を用いて、それが前記所定の基準値を満たしている場合には移動状態であると判定する、携帯端末である。
【００１６】
移動状態の判定においては、振動の他にも、加速度やそれに伴う電圧を検出することによって、行っても良い。これは加速度センサーなどでは加速度や、加速度によって生じる慣性によって圧力を検出し、それに伴う電圧を検出することで行える。このようなものの検出は加速度センサーなどを用いることが出来る。このような場合にも、歩行中や自転車に乗車中の場合には、所持者に加速度がかかるので、その携帯端末にも同様に加速度がかかる。そしてその加速度の検出数や、それに伴う電圧の検出数が、基準値よりも多い場合には、移動していると判定することが出来る。
【００１７】
請求項５の発明において、前記移動状態検出部は、前記携帯端末の加速度またはそれによる電圧を検出する加速度検出部であって、前記加速度または電圧を検出した時刻またはその有無と、加速度の値または電圧の値を少なくとも経時的に前記携帯端末に記憶させ、前記移動状態判定部は、所定時間における前記検出した加速度の検出数または電圧の検出数と、加速度の値または電圧の値を用いて、それが前記所定の基準値を満たしている場合には移動状態であると判定する、携帯端末である。
【００１８】
請求項６の発明において、前記携帯端末は、更に、前記携帯端末の入力装置において操作が行われているかを検出する操作判定部、を有しており、前記カメラ起動指示部は、更に、前記移動状態判定部において移動状態であると判定し、前記操作判定部において操作が行われると判定した場合に、前記起動指示を行う、携帯端末である。
【００１９】
移動状態と判定した場合に、撮像装置の起動指示を行うように構成しても良いが、本発明のように、更に操作状態である、ことも判定した場合に、撮像装置の起動指示を行うように構成すると良い。移動しているからといって、必ずしも携帯端末を所持者が使用しているとは限らない。そしてそのような場合に撮像装置を起動することは、無駄な電力を消費してしまう。そこで、移動状態であって、且つ、実際に携帯端末を使用している場合、つまり、移動しながら携帯端末へ所持者が何らかの入力を行っている場合に撮像装置の起動指示が行われることが好ましい。本発明のように構成することで、これが達成できる。
【００２０】
請求項７の発明において、前記危険状態判定部は、前記撮像装置で撮像した画像から顔を検出し、所定枚数以上あるいは所定時間以上、前記画像において顔が検出された場合には危険状態と判定する、携帯端末である。
【００２１】
撮像装置は表示装置と同じ面に設けられている。つまり表示装置を見ている状態であれば、撮像装置の撮像する画像においても、その表示装置を見る所持者の顔が写っているはずである。そして所定枚数以上、または所定時間以上、画像においてその顔が検出できた場合には、所持者は表示装置を注視している状態であると考えられる。つまりこの状態は、所持者は周囲の状況を疎かにしている状態である。従って、このような場合を危険であると判定すると良い。
【００２２】
請求項８の発明において、前記危険判定時処理部は、前記制御指示として、前記表示装置の表示を消す、警告音を鳴らす、振動を発生させる、前記表示装置に所定のメッセージを表示する、のいずれかの制御指示を送出する、携帯端末である。
【００２３】
所持者に対して危険であることを促すための制御指示には様々なものがあるが、本発明のようなものが代表的である。特に表示装置の表示を消すのは、物理的に表示装置が見られなくなるので、携帯端末の所持者は携帯端末を使用することを、その時点ではあきらめざるを得なくなり、周りに注意を払うように仕向けることが出来るので効果的である。またそれ以外の制御指示であっても、携帯端末の使用に当たっては邪魔なものなので、その所持者に使用を断念させることにも繋がる。これによって、周りに注意を払うように仕向けることが出来る。
【発明の効果】
【００２４】
本発明によって、携帯端末の所持者が移動状態であると判定された場合には、携帯端末の表示装置の表示を消したり、警告音を鳴らす、振動を発生させる、危険であることの通知を表示する、などの制御処理を行うことができる。これによって、携帯端末の所持者に対して、移動状態における携帯端末の使用は危険であることを認識させ、その使用を抑止させることが可能となる。
【発明を実施するための最良の形態】
【００２５】
本発明の携帯端末１のシステム構成の概念図を図１に示す。また本発明の携帯端末１のハードウェア構成の一例の概念図を図２に示す。
【００２６】
本発明の携帯端末１には、プログラムの演算処理を実行するＣＰＵなどの演算装置２０と、情報を記憶するＲＡＭやＲＯＭなどの記憶装置２１と、画面を表示する表示装置２２と、文字や数字、記号などを入力する入力装置２３と、インターネットなどでのデータの送受信や、音声通信を可能とする通信装置２４と、少なくとも携帯端末１の所持者を撮像するカメラである撮像装置２５とを有する。携帯端末１上で実現する各機能（各手段）は、その処理を実行する手段（プログラムやモジュールなど）が演算装置２０に読み込まれることでその処理が実行される。各機能は、記憶装置２１に記憶した情報をその処理において使用する場合には、該当する情報を当該記憶装置２１から読み出し、読み出した情報を適宜、演算装置２０における処理に用いる。また撮像装置２５は、所持者が携帯端末１の使用時に、携帯端末１の所持者、好適にはその顔を撮像する位置に取り付けられていると良い。好適には携帯端末１の表示装置２２と同じ面に撮像装置２５が少なくとも一つ設けられているとよい。これによって、表示装置２２を所持者が見ている状態において、撮像装置２５で携帯端末１の所持者、好適にはその顔を撮像することが出来る。
【００２７】
本発明に於ける各手段は、その機能が論理的に区別されているのみであって、物理上あるいは事実上は同一の領域を為していても良い。
【００２８】
携帯端末１は、移動状態検出部２と移動状態判定部３と操作判定部４とカメラ起動指示部５と危険状態判定部６と危険判定時処理部７とを有している。
【００２９】
移動状態検出部２は、携帯端末１の所持者の移動状態の情報（例えば振動センサーによる振動の情報の検出、加速度センサーによる加速度や電圧の情報の検出など）を検出する。例えば振動センサーによりその振動の情報（振動があった時刻やその振幅など）を経時的に記録する。また移動状態検出部２において、振動センサーのほか、加速度センサーを用いることによっても、同様に移動状態を検出できる。この加速度センサーとしては、圧電式、半導体ピエゾ抵抗式、静電容量式などを用いることが出来る。これは振動により発生する加速度や電圧を検出することにより、歩行状態や運動状態の判定が行えるので、これを用いても良い。これらの振動センサーや加速度センサーは、携帯端末１に歩数計機能が搭載されている場合には、それらを用いても良い。
【００３０】
移動状態判定部３は、移動状態検出部２で検出した移動状態の情報に基づいて、携帯端末１の所持者の移動状態を判定する。この移動状態としては、歩行中や自転車で移動中などの、携帯端末１の所持者に振動や加速度が発生している状態がある。つまり歩行中や自転車で移動中であれば、振動や加速度が発生する。それらを移動状態検出部２で検出し、それを記録しておく。そしてこれらの情報に基づいて、移動状態であるか否かを判定する。例えば移動状態検出部２が振動センサーなどの振動検出部の場合には、振動を検出した時刻やその振幅を記憶装置２１に記録しておく。そして所定時間内にどれだけの振動数があったか、あるいはそれらの振動における振幅の平均値がどれだけであったのか、を判定することで、移動状態を判定する。つまり所定時間内の振動数が予め定められた基準値以上、あるいは振幅の平均値が予め定められた基準値以上などの場合には「移動状態」であると判定する。また加速度センサーなどの加速度検出部を用いた場合にも同様である。加速度や電圧を検出した時刻や、その加速度の値や電圧の値を時刻と共に記憶装置２１に記録しておき、所定時間内にどれだけの加速度検出数や電圧検出数があったか、あるいは加速度や電圧の平均値がどれだけであったのか、を判定することで、移動状態を判定する。つまり所定時間内の加速度検出数が予め定められた基準値以上、あるいは加速度の平均値が予め定められた基準値以上などの場合には「移動状態」であると判定する。なお、移動状態の判定は一例であって、他の方法によって判定しても良い。
【００３１】
操作判定部４は、携帯端末１の入力装置２３を用いて、所持者が何らかの入力を行った場合にはそれを検出し、「操作が行われている」ことを判定する。
【００３２】
カメラ起動指示部５は、移動状態判定部３において移動状態であると判定し、場合によっては更に、操作判定部４で「操作が行われている」ことを判定した場合には、携帯端末１に備えられた撮像装置２５を起動する指示を行う。この指示によって携帯端末１において撮像装置２５が起動し、撮像装置２５がその所持者、好適にはその顔を撮像する。このように起動した撮像装置２５は、所定のタイミング毎に自動的に撮像し、その画像を記憶装置２１に記録する。なお自動的に撮像する場合には、一般の撮像と異なり、内部処理を行っているだけなので、撮像装置２５で撮像の際に通常再生されるシャッター音を出さないようにすると良い。また静止画で所定時間毎に複数枚の撮像を行っても良いし、動画で所定時間の撮像を行っても良い。
【００３３】
危険状態判定部６は、撮像装置２５で撮像した画像に基づいて、携帯端末１の所持者が危険状態であるかを判定する。ここで危険状態とは、携帯端末１の所持者が携帯端末１の表示装置２２を注視している状態を言うが、具体的には、撮像した画像から所持者の顔を検出し、所定時間以上（所定枚数以上）、撮像装置２５で撮像した画像において、顔が写っている場合に、表示装置２２を注視しており危険な状態である、と判定する。なおここで顔が写っているとは、所定時間（所定枚数）の画像において、顔の大部分（顔のパーツの大部分、例えば、眉、眼、鼻、口など）が写っている状態を言う。
【００３４】
これを模式的に図４に示す。図４では所定のタイミング毎に撮像装置２５で撮像した３枚の画像に基づいて危険状態の判定を行うことを模式的に示している。図４（ａ）では１枚目の画像では顔が写っているが、２枚目では顔の一部のみが写っており、また３枚目では顔が写っていない。撮像装置２５は所持者の顔が撮像可能なように表示装置２２と同じ面に設けられているが、その撮像装置２５で顔を撮像できていないので、この所持者は携帯端末１の表示装置２２を見ていないと推測され、危険状態にはない、と判定できる。一方、図４（ｂ）では１枚目から３枚目まで顔が写っている。従ってこの所持者は携帯端末１の表示装置２２を見ていると推測され、危険状態にある、と判定できる。
【００３５】
このように撮像装置２５で撮像した画像において、顔が写っているかどうかは、様々な公知技術を用いることが出来る。例えば撮像した画像において複数の特徴点を検出し、その特徴点が、予め登録された顔の特徴点（例えば眉、眼、鼻、口など）の配置パターンと類似するものがあるか、またその比率が類似するかどうか、などを比較することによって、画像に顔が写っているかどうかを判定することが出来る。
【００３６】
なお撮像装置２５で撮像した画像に、所持者以外の顔が写り混んでしまうこともあり得る。そのような場合には、顔として認識できた部分が、当該画像において一定の割合以上であるか否か、を判定することによって、所持者の顔であるかを判定することが出来る。これは、所持者の顔であれば、撮像装置２５において大きい比率を占めているので、小さい顔の場合には、たまたま写り混んだ他人の顔であると考えられるからである。これを模式的に図５に示す。
【００３７】
危険判定時処理部７は、危険状態判定部６において、所持者が危険状態であることを判定すると、その場合において予め定められた処理を実行するための指示を携帯端末１において行う。例えば携帯端末１の表示装置２２の表示を消したり、警告音を鳴らしたり、振動を発生させたり、携帯端末１の表示装置２２に「移動中の使用は大変危険です」との表示を行ったりする指示を行う。これを受けて、各処理が携帯端末１において実行される。
【００３８】
次に本発明の処理プロセスの一例を図３のフローチャート、図１の概念図を用いて説明する。
【００３９】
まず本発明の携帯端末１の所持者は当該携帯端末１を所持する。そして歩行や自転車で移動した場合には、携帯端末１に振動が伝わったり、加速度が発生するので、その振動や加速度を移動状態検出部２が検出する。検出した振動の時刻や振幅の情報や、加速度や電圧の検出時刻やそれらの値の情報は記憶装置２１に記憶する。
【００４０】
このように検出した情報を用いて、移動状態判定部３が、所定時間内における振動数やその振幅の平均値、あるいは加速度や電圧の検出数や、加速度や電圧の平均値などの情報に基づいて、それらが所定の基準値を超えているかどうかを判定することで、携帯端末１の所持者が移動状態にあるか否かを判定する（Ｓ１００）。
【００４１】
携帯端末１の所持者が移動状態にあることを判定した場合には（Ｓ１１０）、操作判定部４は、携帯端末１の入力装置２３に入力があるかどうかを検出する。例えば入力装置２３から何らかの入力があるかどうかを検出する。そして入力があることを判定した場合には（Ｓ１２０）、カメラ起動指示部５が携帯端末１の表示装置２２と同じ面にある撮像装置２５を起動する指示を送出し、撮像装置２５を起動させる（Ｓ１３０）。
【００４２】
撮像装置２５は所定のタイミングに静止画を撮像し、または動画で所定時間、撮像を行う。
【００４３】
これによって撮像した画像に基づいて、危険状態判定部６が所持者の危険状態の判定を行う（Ｓ１４０）。複数の静止画を撮像している場合には、図４に示すように、その各画像から顔を検出し、一定枚数以上、顔が写っている場合には、危険状態であると判定し、写っていない場合には危険状態ではないと判定する（Ｓ１５０）。また動画を撮像している場合には、所定時間以上、顔が写っている場合には危険状態であると判定し、写っていない場合には危険状態ではないと判定する（Ｓ１５０）。
【００４４】
このようにして所持者が危険状態である、と危険状態判定部６が判定した場合には、危険判定時処理部７が、携帯端末１の表示装置２２の表示を消したり、警告音を鳴らしたり、振動を発生させたり、携帯端末１の表示装置２２に「移動中の使用は大変危険です」との表示を行う指示を送出する（Ｓ１６０）。これを受けた携帯端末１では、各指示に対応する処理を実行する。
【００４５】
以上のような処理を行うことによって、携帯端末１の所持者に対して、移動状態における携帯端末１の使用は危険であることを認識させ、それを抑止することとなる。
【産業上の利用可能性】
【００４６】
本発明によって、携帯端末１の所持者が移動状態であると判定された場合には、携帯端末１の表示装置２２の表示を消したり、警告音を鳴らす、振動を発生させる、危険であることの通知を表示する、などの制御処理を行うことができる。これによって、携帯端末１の所持者に対して、移動状態における携帯端末１の使用は危険であることを認識させ、その使用を抑止させることが可能となる。
【図面の簡単な説明】
【００４７】
【図１】本発明の携帯端末のシステム構成の概念を模式的に示す図である。
【図２】本発明の携帯端末のハードウェア構成の一例を模式的に示す図である。
【図３】本発明の処理プロセスの一例を模式的に示すフローチャートである。
【図４】危険状態の判定を模式的に示す図である。
【図５】画像に写っている画像が所持者であるか否かを判定する場合を模式的に示す図である。
【符号の説明】
【００４８】
１：携帯端末
２：移動状態検出部
３：移動状態判定部
４：操作判定部
５：カメラ起動指示部
６：危険状態判定部
７：危険判定時処理部
２０：演算装置
２１：記憶装置
２２：表示装置
２３：入力装置
２４：通信装置
２５：撮像装置
【図１】
2008085510.tif 000003
【図２】
2008085510.tif 000004
【図３】
2008085510.tif 000005
【図４】
2008085510.tif 000006
【図５】
2008085510.tif 000007
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
表示装置と撮像装置とを同じ面に有する携帯端末であって、
前記携帯端末は、
前記携帯端末の振動、加速度またはそれに伴う電圧のいずれか一以上を検出する移動状態検出部と、
前記検出した情報を用いて移動状態であるかを判定する移動状態判定部と、
移動状態であると少なくとも判定した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項２】
表示装置と撮像装置とを同じ面に有する携帯端末であって、
前記携帯端末は、
前記携帯端末の振動を検出し、前記振動を検出した時刻またはその有無と、その振幅とを少なくとも経時的に記憶させる振動検出部と、
所定時間における前記検出した振動の回数を前記振動検出部で検出した時刻または振動の有無の情報に基づいて判定し、前記振動の回数と前記所定時間における振動の振幅の情報とを用いて、移動状態であるかを判定する移動状態判定部と、
移動状態であると少なくとも判定した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項３】
表示装置と撮像装置とを同じ面に有する携帯端末であって、
前記携帯端末は、
前記携帯端末の加速度またはそれに伴う電圧のいずれか一以上を検出し、前記加速度または電圧を検出した時刻またはその有無と、加速度の値または電圧の値を少なくとも経時的に前記携帯端末に記憶させる加速度検出部と、
所定時間における前記検出した加速度の検出数または電圧の検出数を前記加速度検出部で検出した時刻またはその有無の情報に基づいて判定し、前記加速度の検出数または電圧の検出数と、前記所定時間における加速度の値または電圧の値とを用いて、移動状態であるかを判定する移動状態判定部と、
移動状態であると少なくとも判定した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項４】
表示装置と撮像装置とを同じ面に有する携帯端末であって、
前記携帯端末は、
前記携帯端末の振動を検出し、前記振動を検出した時刻またはその有無と、その振幅とを少なくとも経時的に記憶させる振動検出部と、
所定時間における前記検出した振動の回数を前記振動検出部で検出した時刻または振動の有無の情報に基づいて判定し、前記振動の回数と前記所定時間における振動の振幅の情報とを用いて、移動状態であるかを判定する移動状態判定部と、
移動状態であると少なくとも判定した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、を有しており、
前記危険状態判定部は、
前記顔として認識した部分が、前記画像において一定の割合以上を占めている場合には、前記携帯端末の所持者の顔であるとして、該所持者の危険状態の判定を行う、
ことを特徴とする携帯端末。
【請求項５】
表示装置と撮像装置とを同じ面に有する携帯端末であって、
前記携帯端末は、
前記携帯端末の加速度またはそれに伴う電圧のいずれか一以上を検出し、前記加速度または電圧を検出した時刻またはその有無と、加速度の値または電圧の値を少なくとも経時的に前記携帯端末に記憶させる加速度検出部と、
所定時間における前記検出した加速度の検出数または電圧の検出数を前記加速度検出部で検出した時刻またはその有無の情報に基づいて判定し、前記加速度の検出数または電圧の検出数と、前記所定時間における加速度の値または電圧の値とを用いて、移動状態であるかを判定する移動状態判定部と、
移動状態であると少なくとも判定した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、を有しており、
前記危険状態判定部は、
前記顔として認識した部分が、前記画像において一定の割合以上を占めている場合には、前記携帯端末の所持者の顔であるとして、該所持者の危険状態の判定を行う、
ことを特徴とする携帯端末。
【請求項６】
表示装置と撮像装置とを同じ面に有する携帯端末であって、
前記携帯端末は、
前記携帯端末の振動を検出し、前記振動を検出した時刻またはその有無と、その振幅とを少なくとも経時的に記憶させる振動検出部と、
所定時間における前記検出した振動の回数を前記振動検出部で検出した時刻または振動の有無の情報に基づいて判定し、前記振動の回数と前記所定時間における振動の振幅の情報とを用いて、移動状態であるかを判定する移動状態判定部と、
前記携帯端末の入力装置からの操作入力を検出する操作判定部と、
移動状態であると判定し、且つ操作入力を検出した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項７】
表示装置と撮像装置とを同じ面に有する携帯端末であって、
前記携帯端末は、
前記携帯端末の加速度またはそれに伴う電圧のいずれか一以上を検出し、前記加速度または電圧を検出した時刻またはその有無と、加速度の値または電圧の値を少なくとも経時的に前記携帯端末に記憶させる加速度検出部と、
所定時間における前記検出した加速度の検出数または電圧の検出数を前記加速度検出部で検出した時刻またはその有無の情報に基づいて判定し、前記加速度の検出数または電圧の検出数と、前記所定時間における加速度の値または電圧の値とを用いて、移動状態であるかを判定する移動状態判定部と、
前記携帯端末の入力装置からの操作入力を検出する操作判定部と、
移動状態であると判定し、且つ操作入力を検出した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、
を有することを特徴とする携帯端末。
【請求項８】
表示装置と撮像装置とを同じ面に有する携帯端末であって、
前記携帯端末は、
前記携帯端末の振動を検出し、前記振動を検出した時刻またはその有無と、その振幅とを少なくとも経時的に記憶させる振動検出部と、
所定時間における前記検出した振動の回数を前記振動検出部で検出した時刻または振動の有無の情報に基づいて判定し、前記振動の回数と前記所定時間における振動の振幅の情報とを用いて、移動状態であるかを判定する移動状態判定部と、
前記携帯端末の入力装置からの操作入力を検出する操作判定部と、
移動状態であると判定し、且つ操作入力を検出した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、を有しており、
前記危険状態判定部は、
前記顔として認識した部分が、前記画像において一定の割合以上を占めている場合には、前記携帯端末の所持者の顔であるとして、該所持者の危険状態の判定を行う、
ことを特徴とする携帯端末。
【請求項９】
表示装置と撮像装置とを同じ面に有する携帯端末であって、
前記携帯端末は、
前記携帯端末の加速度またはそれに伴う電圧のいずれか一以上を検出し、前記加速度または電圧を検出した時刻またはその有無と、加速度の値または電圧の値を少なくとも経時的に前記携帯端末に記憶させる加速度検出部と、
所定時間における前記検出した加速度の検出数または電圧の検出数を前記加速度検出部で検出した時刻またはその有無の情報に基づいて判定し、前記加速度の検出数または電圧の検出数と、前記所定時間における加速度の値または電圧の値とを用いて、移動状態であるかを判定する移動状態判定部と、
前記携帯端末の入力装置からの操作入力を検出する操作判定部と、
移動状態であると判定し、且つ操作入力を検出した場合に、前記撮像装置の起動指示を送出するカメラ起動指示部と、
前記撮像装置で撮像した画像において複数の特徴点を検出することで顔が写っているかを判定することにより、該所持者の危険状態の判定を行う危険状態判定部と、
前記危険状態であると判定された場合に、該所持者に対してその旨を通知するための制御指示を送出する危険判定時処理部と、を有しており、
前記危険状態判定部は、
前記顔として認識した部分が、前記画像において一定の割合以上を占めている場合には、前記携帯端末の所持者の顔であるとして、該所持者の危険状態の判定を行う、
ことを特徴とする携帯端末。
【請求項１０】
前記危険状態判定部は、
前記撮像装置で撮像した画像から顔を検出し、所定枚数以上あるいは所定時間以上、前記画像において顔が検出された場合には危険状態と判定する、
ことを特徴とする請求項１から請求項９のいずれかに記載の携帯端末。
【請求項１１】
前記危険判定時処理部は、
前記制御指示として、前記表示装置の表示を消す、警告音を鳴らす、振動を発生させる、前記表示装置に所定のメッセージを表示する、のいずれかの制御指示を送出する、
ことを特徴とする請求項１から請求項１０のいずれかに記載の携帯端末。
【手続補正２】
【補正対象書類名】明細書
【補正対象項目名】００１１
【補正方法】変更
【補正の内容】
【００１１】
請求項２の発明は、表示装置と撮像装置とを同じ面に有する携帯端末であって、前記携帯端末は、前記携帯端末の振動を検出し、前記振動を検出した時刻またはその有無と、その振幅とを少なくとも経時的に記憶させる振動検出部と、所定時間における前記検出した振動の回数を前記振動検出部で検出した時刻または振動の有無の情報に基づいて判定し、前記振動の回数と前記所定時間における振動の振幅の情報とを用いて、移動状態であるかを判定する移動状態判定部と、移動状態であると少なくとも判定した場合に、前記撮像装置の起動指示を送出するカメラ起動指示部と、前記撮像装置で撮像した画像において複数の特徴点を検出することで顔が写っているかを判定することにより、該所持者の危険状態の判定を行う危険状態判定部と、前記危険状態であると判定された場合に、該所持者に対してその旨を通知するための制御指示を送出する危険判定時処理部と、を有する携帯端末である。
【手続補正３】
【補正対象書類名】明細書
【補正対象項目名】００１２
【補正方法】変更
【補正の内容】
【００１２】
移動状態の判定においては、振動を検出する方法がある。歩行中や自転車に乗車中の場合には、所持者が動くのでその携帯端末にも振動が伝わる。そしてその振動数が基準値よりも多い場合には、移動していると判定することが出来る。また振動のみならず、振幅を加味して判定する。振幅を加味することによって、振動の大きさが分かる。これによって移動している、走っているなどの細かい移動状態まで判定することが出来るので、より的確な移動状態の判定を行うことが出来る。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項３の発明は、表示装置と撮像装置とを同じ面に有する携帯端末であって、前記携帯端末は、前記携帯端末の加速度またはそれに伴う電圧のいずれか一以上を検出し、前記加速度または電圧を検出した時刻またはその有無と、加速度の値または電圧の値を少なくとも経時的に前記携帯端末に記憶させる加速度検出部と、所定時間における前記検出した加速度の検出数または電圧の検出数を前記加速度検出部で検出した時刻またはその有無の情報に基づいて判定し、前記加速度の検出数または電圧の検出数と、前記所定時間における加速度の値または電圧の値とを用いて、移動状態であるかを判定する移動状態判定部と、移動状態であると少なくとも判定した場合に、前記撮像装置の起動指示を送出するカメラ起動指示部と、前記撮像装置で撮像した画像において複数の特徴点を検出することで顔が写っているかを判定することにより、該所持者の危険状態の判定を行う危険状態判定部と、前記危険状態であると判定された場合に、該所持者に対してその旨を通知するための制御指示を送出する危険判定時処理部と、を有する携帯端末である。
【手続補正７】
【補正対象書類名】明細書
【補正対象項目名】００１７
【補正方法】削除
【補正の内容】